(57)【要約】【課題】  ペアリング等の制限を受けることなく、簡易的にリアルタイムの通信を行いながら照明装置の発光を制御可能な照明装置制御システム及び照明装置制御方法を提供することにある。【解決手段】  ＢＬＥ（Ｂｌｕｅｔｏｏｔｈ（登録商標）  Ｌｏｗ  Ｅｎｅｒｇｙ）を用いて通信制御を行う照明装置制御システムにおいて、ペリフェラルとして機能すると共に発光情報を発信する発光情報送信手段と、セントラルとして機能すると共に光情報送信手段からの発光情報に基づき発光する照明手段とを備え、発光情報送信手段と照明手段との間では、ペアリングを行うことなく、照明手段が発光情報送信手段からの送信される発光情報を一方的に受信して発光することを特徴とする。【選択図】図１
2018005977.tif 000002
【特許請求の範囲】
【請求項１】
ＢＬＥ（Ｂｌｕｅｔｏｏｔｈ（登録商標）  Ｌｏｗ  Ｅｎｅｒｇｙ）を用いて通信制御を行う照明装置制御システムにおいて、
ペリフェラルとして機能すると共に発光情報を発信する発光情報送信手段と、
セントラルとして機能すると共に該発光情報送信手段からの該発光情報に基づき発光する照明手段とを備え、
該発光情報送信手段と該照明手段との間では、ペアリングを行うことなく、該照明手段が該発光情報送信手段からの送信される該発光情報を一方的に受信して発光することを特徴とする照明装置制御システム。
【請求項２】
前記発光情報送信手段が、前記照明手段に対するブロードキャスト通信を行うことを特徴とする請求項１記載の照明装置制御システム。
【請求項３】
前記発光情報送信手段が、アドバタイジングパケットのデータの一部に前記発光情報を付加して前記照明手段に向かって一方的に送信することを特徴とする請求項１記載の照明装置制御システム。
【請求項４】
ＢＬＥ（Ｂｌｕｅｔｏｏｔｈ（登録商標）  Ｌｏｗ  Ｅｎｅｒｇｙ）を用いて通信制御を行う照明装置制御方法において、
発光情報を発信する発光情報送信手段が、ペリフェラルとして該発光情報送信手段側のＩＤ情報を送信し、
照明手段が、該発光情報送信手段の該ＩＤ情報を取得し、該照明手段が該発光情報を受信すべき該発光情報送信手段を記憶した後、
該照明手段が、該ＩＤ情報を記憶した該発光情報送信手段からの該発光情報を受信したとき、該受信した発光情報に基づき発光することを特徴とする照明装置制御方法。
【請求項５】
前記発光情報送信手段が、前記照明手段に対するブロードキャスト通信を行うことを特徴とする請求項４記載の照明装置制御方法。
【請求項６】
前記発光情報送信手段が、アドバタイジングパケットのデータの一部に前記発光情報を付加して前記照明手段に向かって一方的に送信することを特徴とする請求項４記載の照明装置制御方法。
【発明の詳細な説明】
【技術分野】
【０００１】
本発明は、各種の照明装置を無線手段により制御するための照明装置制御システム及び照明装置制御方法に関する。
【背景技術】
【０００２】
従来より、各種の照明装置を、外部の制御装置から無線手段を介して点灯や消灯や点灯色等の発光の制御を行うことが行われている。照明装置の例としては、例えば、コンサート会場で使用するペンライトがあり、各種の制御システムや制御方法が、提案されている。
【０００３】
従来の発光制御システムとしては、例えば特許文献１に示されるものがある。特許文献１の発光制御システムは、複数の発光態様で発光可能な発光部と、複数の演目の上演される順序と各演目に対応づけられた発光態様とを定めた情報を取得する取得手段と、前記取得手段により取得された情報に基づき、前記発光部が、前記順序にしたがって前記各演目に対応づけられた発光態様で発光するように制御する発光制御手段と、を備えることを特徴とする。そして、複数の演目の上演される順序と各演目に対応づけられた発光態様とを定めた情報は、取得手段側で記憶される。
【０００４】
また、特許文献２に示される近距離無線リンクを制御サーバから制御する無線リンク制御方法及びシステムでは、通信端末が、デバイスから周期的に報知される広報パケットを受信し、通信端末が、広報パケットを受信した際に、通信端末識別子及びデバイス識別子を含む通知パケットを、制御サーバへ送信し、制御サーバが、１つ以上の通知パケットを受信した際に、当該デバイスとリンク接続すべき通信端末を選択し、制御サーバが、選択した当該通信端末へ、リンク接続すべきデバイスのデバイス識別子を含む接続制御要求を送信し、通信端末が、受信した接続制御要求に含まれるデバイス識別子のデバイスへ、接続要求を送信するようにしている。
【０００５】
これらの従来の方法では、無線手段として特定小電力、無線ＬＡＮ、非可聴域音、赤外線等を用いている。また、照明装置の制御としては、ＤＭＸ照明卓やＭＩＤＩコントロラ等の制御機器から、これらの無線方式に変換する特殊なコンバータ（送信機）を用いて一斉制御をしている。
【先行技術文献】
【特許文献】
【０００６】
【特許文献１】特開２０１２−１４６５３６号公報
【特許文献２】特開２０１６−０４２６４５号公報
【発明の概要】
【発明が解決しようとする課題】
【０００７】
しかしながら、従来の発光制御システム等では、発光態様を定めた情報を相当量保存させることになるが、急に発光態様を変更したい場合に対応することが困難である。また、従来の無線リンク制御方法では、照明装置と外部の制御装置との間の通信が複雑で、簡易的にリアルタイムの通信を行いながら照明装置を発光させることが困難である。
【０００８】
尚、特定小電力、無線ＬＡＮ、非可聴域音、赤外線等の無線手段を用いて、ＤＭＸ照明卓やＭＩＤＩコントロラ等の特殊な制御機器を用いずに、多くのペンライト等の照明装置を制御する方法として、携帯情報端末であるスマートフォンやタブレット端末等を用いることも考えられ、例えば、Ｂｌｕｅｔｏｏｔｈ（登録商標）を用いる方法が一般的に考えやすいが、電波の到達距離が短く、ペアリング台数の制限を受けることから、照明装置の一斉制御には向いていないという問題がある。
【０００９】
本発明は、このような事情に鑑みてなされたもので、ペアリング等の制限を受けることなく、簡易的にリアルタイムの通信を行いながら照明装置の発光を制御可能な照明装置制御システム及び照明装置制御方法を提供することにある。
【課題を解決するための手段】
【００１０】
請求項１記載の照明装置制御システムは、ＢＬＥ（Ｂｌｕｅｔｏｏｔｈ（登録商標）  Ｌｏｗ  Ｅｎｅｒｇｙ）を用いて通信制御を行う照明装置制御システムにおいて、ペリフェラルとして機能すると共に発光情報を発信する発光情報送信手段と、セントラルとして機能すると共に発光情報送信手段からの発光情報に基づき発光する照明手段とを備え、発光情報送信手段と照明手段との間では、ペアリングを行うことなく、照明手段が発光情報送信手段からの送信される発光情報を一方的に受信して発光することを特徴とする。
【００１１】
請求項２記載の照明装置制御システムは、発光情報送信手段が、照明手段に対するブロードキャスト通信を行うことを特徴とする。
【００１２】
請求項３記載の照明装置制御システムは、発光情報送信手段が、アドバタイジングパケットのデータの一部に発光情報を付加して照明手段に向かって一方的に送信することを特徴とする。
【００１３】
請求項４記載の照明装置制御方法は、ＢＬＥ（Ｂｌｕｅｔｏｏｔｈ（登録商標）  Ｌｏｗ  Ｅｎｅｒｇｙ）を用いて通信制御を行う照明装置制御方法において、発光情報を発信する発光情報送信手段が、ペリフェラルとして発光情報送信手段側のＩＤ情報を送信し、照明手段が、発光情報送信手段のＩＤ情報を取得し、照明手段が発光情報を受信すべき発光情報送信手段を記憶した後、照明手段が、ＩＤ情報を記憶した発光情報送信手段からの発光情報を受信したとき、受信した発光情報に基づき発光することを特徴とする。
【００１４】
請求項５記載の照明装置制御方法は、発光情報送信手段が、照明手段に対するブロードキャスト通信を行うことを特徴とする。
【００１５】
請求項６記載の照明装置制御方法は、発光情報送信手段が、アドバタイジングパケットのデータの一部に発光情報を付加して照明手段に向かって一方的に送信することを特徴とする。
【発明の効果】
【００１６】
本願の発明によれば、発光情報送信手段と照明手段との間では、ペアリングを行うことなく、照明手段が発光情報送信手段からの送信される発光情報を一方的に受信して発光することから、ペアリング等の制限を受けることなく、簡易的にリアルタイムの通信を行いながら照明装置の発光を制御可能である。
【図面の簡単な説明】
【００１７】
【図１】本発明に係る照明装置制御システムの構成の一例を示す説明図である。
【図２】同照明装置制御システムに係る照明装置の一例であるペンライトの構成を示す説明図である。
【図３】同照明装置制御システムに係る通信の手順を示す説明図である。
【図４】同照明装置制御システムに係る第１の実施の形態を示す説明図である。
【図５】同照明装置制御システムに係る第２の実施の形態を示す説明図である。
【図６】同照明装置制御システムに係る第２の実施の形態を示す説明図である。
【図７】同照明装置制御システムに係る第３の実施の形態における動作を示す説明図である。
【発明を実施するための形態】
【００１８】
以下、本発明の形態について図面を参照しながら具体的に説明する。図１は、本発明に係る照明装置制御システムの構成の一例を示す説明図である。図２は、同照明装置制御システムに係る照明装置の一例であるペンライトの構成を示す説明図である。図３は、同照明装置制御システムに係る通信の手順を示す説明図である。図に示す本願の照明装置制御システム及び照明装置制御方法は、各種の照明装置を無線手段により制御するためのもので、ＢＬＥ（Ｂｌｕｅｔｏｏｔｈ（登録商標）  Ｌｏｗ  Ｅｎｅｒｇｙ（以下、「ＢＬＥ」と記載する））を用いて通信制御を行うものである。
【００１９】
照明装置制御システムとしての基本的な形態は、図１に示すように、照明手段と発光情報送信手段とで構成されている。図１の基本的な例では、照明手段がペンライト１０であり、発光情報送信手段が、携帯情報端末２である。照明手段であるペンライト１０は、あくまでも照明手段の例示であり、家庭内の屋内灯や屋外灯や、それ以外にもコンサートホールのスポットライトをはじめとする照明機器等、一般に照明手段として把握可能なものはすべて含むものとし、後述するようにＢＬＥを用いて通信を行うことが可能な機能を有しているものである。尚、本実施の形態では、照明手段としてペンライト１０を代表的に用いて説明を行うものとする。
【００２０】
発光情報送信手段である携帯情報端末２は、あくまでも発光情報送信手段の例示であり、図１に示すようなスマートフォンのような携帯情報端末２に限られず、照明手段であるペンライト１０にＢＬＥを用いて発光情報を送ることができるものであればよい。この発光情報送信手段の例については、後述する。
【００２１】
発光情報送信手段である携帯情報端末２から照明手段であるペンライト１０に送る発光情報は、単に、ペンライト１０の点灯・消灯のみならず、発光色や発光輝度等の照明としての機能に係るあらゆる情報を含むものとする。
【００２２】
照明手段の一例であるペンライト１０は、家庭内で手に持って点灯・消灯させることができる他、例えば、コンサートホールで、観客や上演者が手に持って点灯状態で振ったりして、上演を盛り上げるような使用ができるものである。ペンライト１０は、外形上、筒状のグリップ部２０と、グリップ部２０の上方に伸びる発光部２２とから構成され、発光部２２は、透光性を有し、内部に設けられた発光手段である例えばＬＥＤ２４が発光することで、照明としての機能を発揮する。尚、ＬＥＤ２４は、１つ且つ単色の発光だけで構成させることもできるし、複数かつ複数色の発光が可能な構成にすることもできる（以下の説明では、複数色の発光が可能な場合で説明する）。
【００２３】
ペンライト１０のグリップ部２０の中には、制御回路１２、バッテリ１８、無線回路１４、ＬＥＤドライバ１６等が設けられている。バッテリ１８は、制御回路１２や無線回路１４やＬＥＤドライバ１６を駆動させるための電源で、一次電池だけではなく二次電池であってもよく、また、バッテリ１８に換えて、ＤＣアダプタで外部から電力を供給するような形態にしてもよい。
【００２４】
制御回路１２は、ペンライト１０としての機能をつかさどる部分で、例えば、各種のスイッチ１２ａ，１２ｂ，１２ｃが接続されている。このスイッチ１２ａ，１２ｂ，１２ｃは、例えば、電源スイッチや後述する各種の動作モードを選択する機能選択スイッチ等として機能するものである。無線回路１４は、図１に示すように、ペンライト１０が携帯情報端末２から送られてくる発光情報等を受信するための無線手段で、ＢＬＥの規格を有している。
【００２５】
ＬＥＤドライバ１６は、ＬＥＤ２４を駆動するもので、制御回路１２からの指令で、発光／消灯の他、どの色を発光させるかや輝度の調整を含め、駆動するものである。
【００２６】
次に、照明情報送信手段としての携帯情報端末２と照明手段としてのペンライト１０との間に通信制御について説明する。まず、ＢＬＥにおいて、携帯情報端末２をペリフェラルとして機能させると共に、ペンライト１０をセントラルとして機能させるようにする。その上で、まず、携帯情報端末２が、ペリフェラルとして携帯情報端末２側のＩＤ情報をペンライト１０に送信し、ペンライト１０は、受信したＩＤ情報を記憶させる（図３のＳ１０）。ペンライト１０は、特定の携帯情報端末２のＩＤ情報を記憶することで、自分に発光情報を送ってくる携帯情報端末２を把握できるようになる。尚、ペンライト１０で記憶できるＩＤ情報の種類は、必ずしも１つではなく複数であってもよい。
【００２７】
ペンライト１０が、携帯情報端末２のＩＤ情報を取得し、受信すべき携帯情報端末２を記憶した後、ペンライト１０が、ＩＤ情報を記憶した携帯情報端末２からの発光情報を受信したとき、受信した発光情報に基づき発光する。尚、発光情報送信手段である携帯情報端末２は、アドバタイジングパケットのデータの一部に発光情報を付加して照明手段であるペンライト１０に送るようにようにすればよい。より具体的には、例えば、アドバタイジングパケットのデバイスネーム領域の一部に発光情報を付加してペンライト１０に向かって一方的に送信するようにすればよい。
【００２８】
図３では、携帯情報端末２から、発光情報ａがペンライト１０に送られ、ペンライト１０は、受信した発光情報ａに基づき、ＬＥＤ２４を発光ａの状態で発光させる（図３のＳ２０）。また、今度は、携帯情報端末２から、発光情報ａとは異なる発光情報である発光情報ｂがペンライト１０に送られ、ペンライト１０は、受信した発光情報ｂに基づき、ＬＥＤ２４を発光ｂの状態で発光させる（図３のＳ３０）。発光情報の受信を繰り返すことで、ペンライト１０の発光の状態をリアルタイムで変化させることが可能になる。このように、発光情報送信手段である携帯情報端末２は、照明手段であるペンライト１０に発光情報を一方的に送信するブロードキャスト通信を行っている。
【００２９】
尚、１つの携帯情報端末２のＩＤ情報を、複数のペンライト１０が記憶すれば、１つの携帯情報端末２が送信する発光情報を受信した複数のペンライト１０が、同一の発光情報に基づいて同様の発光をさせることもできる。
【００３０】
このような照明装置制御システム及び照明装置制御方法によれば、ペアリングを行うことなく、照明手段であるペンライト１０が発光情報送信手段である携帯情報端末２からの送信される発光情報を一方的に受信して発光することから、ペアリング等の制限を受けることなく、簡易的にリアルタイムの通信を行いながらペンライト１０の発光を制御可能である。
【００３１】
また、従来の他の発光情報の通信方法では、特殊な通信方法を使っているため（特定小電力や赤外線など）、小規模会場でも高価な専用の送信機が必要で、コストを抑えることが困難であるが、本願発明によれば、一般的に普及し携帯情報端末２で汎用的に用いられているＢＬＥを使用することから、コストを抑えることが可能であり、また、発光情報送信手段として使用できる機器の幅を拡げることが可能である。さらに、従来の他の発光情報の通信方法では、特殊な通信方法を使っているため、照明手段のユーザーが、コンサートホールで使用していたペンライト１０を自宅に持ち帰っても、本願発明のようなリモート的な操作ができないが、本願発明によれば、同じペンライト１０を個人持ちの携帯情報端末２で、操作することができる。さらに、従来のＢＬＥを通常のペアリングを用いる場合には、携帯情報端末２に接続できるペンライト１０の本数に制限があったが、本願発明では、台数の制約がなくなる。
【００３２】
より具体的には、照明手段がペンライト１０の場合、１本のペンライト１０で、各種の色を単色で発光させたり、複数の色を混ぜて発光ことにより、発光の色を巧に変化させることができる。しかしながら、ペンライト１０の発光の色の順番の並び替えすなわち発光色の編集を、ペンライト１０に設けられた限られた数のスイッチ１２ａ，１２ｂ，１２ｃで行うことは煩雑で、現実的ではない。そこで、スマートフォンのような携帯情報端末２で、ペンライト１０の発光色を編集できるようにすることが考えられる。そこで、ペンライト１０と携帯情報端末２との接続を、ＢＬＥも用いて無線で行うことが考えられ、ペンライト１０を個人の携帯情報端末２とペアリングして個人的にペンライト１０の発光色の編集を行うことが考えられる。
【００３３】
このように、もっぱら個人利用で従来のＢＬＥを用いて携帯情報端末２で個人の数台程度のペンライト１０の発光色の編集を行うことは可能である。しかしながら、コンサートホール等で、個人所有のペンライト１０を、一斉に制御して発光色を変化させるような場合には、従来のＢＬＥを通常のペアリングを用いてＢＬＥで接続できるペンライト１０の本数には制限があるため、従来のＢＬＥは一斉制御には不向きである。これに対し、本願発明によれば、ペアリングを行うことなく、個人所有の数台のペンライト１０を無線で発光色を制御することもできれば、多くの台数を無線で発光色を一斉制御することもできる。
【実施例１】
【００３４】
上述の照明装置制御システムの基本的な構成と動作を説明しており、また、発光情報送信手段にスマートフォン等の携帯情報端末２だけを用いて照明手段であるペンライト１０を制御する形態は、家庭で照明機器を簡易的に制御する構成の一例でもある。しかし、このような簡易的な構成の他に、例えば、コンサートホールで、より多くの観客にペンライト１０を持ってもらい、会場で観客のペンライト１０を統一的に制御して発光させることで、観客の一体感を高めるような使い方も可能である。本実施例では、そのようなコンサートホールでの使用の中でも、会場の規模が小さい例えば会場規模が半径２０ｍ程度で、１つのＢＬＥの送信元で発光情報が届く範囲の規模の例を説明する。図４は、同照明装置制御システムに係る第１の実施の形態を示す説明図である。
【００３５】
図４の構成では、照明手段である上述と同様の複数のペンライト１０や照明卓６やＢＬＥ中継器４や上述の携帯情報端末２とから構成されている。照明卓６は、コンサートホール等の会場のスポットライトや演出に用いる照明機器を制御するための装置で、例えば、照明や舞台効果を制御するための通信形式であるＤＭＸ形式の発光情報を出力することができるものである。以後の実施例でもＤＭＸ形式を用いた制御を用いて説明するが、照明手段の制御の通信形式としては、ＤＭＸは一例にすぎず、ＭＩＤＩ等の他の通信形式であってもよい。
【００３６】
照明卓６は、ＤＭＸ形式でＢＬＥ中継器４と接続されている。ＢＬＥ中継器４は、照明卓６からのＤＭＸ形式の発光情報を、ＢＬＥの形式の発光情報に変換することが可能である。すなわち、ＢＬＥ中継器４は、照明手段であるペンライト１０に発光情報を送信する発光情報送信手段である。
【００３７】
演出者は、演出に合わせて照明卓６を操作し、会場の照明を制御すると共に、観客のペンライト１０の制御のための発光情報を、ＢＬＥ中継器４に送り、会場の複数のペンライト１０を一斉に制御するようにする。また、演出者は、照明卓６の操作に限らず、携帯情報端末２を操作することで、携帯情報端末２を操作し、会場のペンライト１０を制御するようにしてもよいし、出演者が携帯情報端末２を操作し、会場のペンライト１０を制御するようにすることもできる。
【００３８】
このように、会場規模が小さく、１つの発光情報送信手段からのＢＬＥの電波が、会場内のすべての照明手段であるペンライト１０に届くような場合には、このような簡易的な構成でよい。
【実施例２】
【００３９】
本実施例では、中・大規模のコンサートホールで、会場の規模が半径２００ｍ程度で、複数のＢＬＥの送信元でないと発光情報を、すべての観客に送信することができない例を説明する。図５及び図６は、同照明装置制御システムに係る第２の実施の形態を示す説明図である。
【００４０】
図５の構成では、照明手段である上述と同様の複数のペンライト１０や照明卓６やＢＬＥ中継器４ａ〜４ｃや上述の携帯情報端末２やコンピュータ８等から構成されている。照明卓６は、実施例１と同様であるが、ＤＭＸ形式の発光情報を無線で送信可能なＤＭＸ送信機３０に接続されている。また、コンピュータ８は、照明卓の機能を入力するソフトウェアやペンライト１０を制御するソフトウェアがインストールされたもので、ＤＭＸ送信機３０が接続されている。さらに、携帯情報端末２は、携帯情報端末２をＤＭＸ送信機３０と接続するＤＭＸアダプタ３０ａを介して、ＤＭＸ送信機３０に接続されている。
【００４１】
照明卓６からの発光情報は、ＤＭＸ送信機３０を介して、ＤＭＸ受信機３２を有するＢＬＥ中継器４ａ，４ｂ，４ｃに送られる。ＢＬＥ中継器４ａ，４ｂ，４ｃは、上述のＢＬＥ中継器４と同様のものであり、照明卓６からの発光情報は、ＢＬＥ中継器４ａ，４ｂ，４ｃからＢＬＥ中継器４ａ，４ｂ，４ｃのそれぞれのＩＤ情報を記憶しているペンライト群１０ａ，１０ｂ，１０ｃに送られ、それぞれのペンライト１０が発光する。
【００４２】
コンピュータ８からの発光情報は、ＤＭＸ送信機３０を介して、ＤＭＸ受信機３２を有するＢＬＥ中継器４ａ，４ｂ，４ｃに送られる。コンピュータ８からの発光情報は、ＢＬＥ中継器４ａ，４ｂ，４ｃからＢＬＥ中継器４ａ，４ｂ，４ｃのそれぞれのＩＤ情報を記憶しているペンライト群１０ａ，１０ｂ，１０ｃに送られ、それぞれのペンライト１０が発光する。
【００４３】
携帯情報端末２からの発光情報は、ＤＭＸアダプタ３０ａ及びＤＭＸ送信機３０を介して、ＤＭＸ受信機３２を有するＢＬＥ中継器４ａ，４ｂ，４ｃに送られる。携帯情報端末２からの発光情報は、ＢＬＥ中継器４ａ，４ｂ，４ｃからＢＬＥ中継器４ａ，４ｂ，４ｃのそれぞれのＩＤ情報を記憶しているペンライト群１０ａ，１０ｂ，１０ｃに送られ、それぞれのペンライト１０が発光する。
【００４４】
尚、照明卓６、コンピュータ８及び携帯情報端末２をそれぞれ記載しているが、すべての系が必要なわけではなく、例えば、これらの系が使用可能であって、単独で使用してもよいし、組み合わせて使用してもよい。このように、会場規模が中規模や大規模の場合、ＢＬＥの送信可能距離よりも広い範囲で、発光情報を送信する必要があり、ＢＬＥ中継器４ａ，４ｂ，４ｃを複数会場に設置し、会場内をくまなくカバーできるようにするようにすればよい。
【００４５】
尚、実際のコンサートホールＨでは、図６の同照明装置制御システムに係る第２の実施の形態を示す説明図で示すように、複数のＢＬＥ中継器４ａ，４ｂを席の配置に応じて会場に配置するようにする。その上で、図６に示すように、座席エリア番号４〜１３をＢＬＥ中継器４ａで担当し、座席エリア番号１〜３，１４〜１６をＢＬＥ中継器４ｂで担当するようにして、ＢＬＥの通信の距離を確保しつつ、また、エリア毎の制御も可能にすることができる。
【実施例３】
【００４６】
本実施例では、屋外のような会場の規模が例えば半径２００ｍを超えるような、広範囲で発光情報を送信することが困難な例を説明する。図７は、同照明装置制御システムに係る第３の実施の形態における動作を示す説明図である。
【００４７】
図７の構成では、照明手段である上述と同様の複数のペンライト１０や照明卓６や携帯情報端末２やコンピュータ８等から構成されている。照明卓６は、実施例１と同様であるが、ＤＭＸ形式の発光情報をＬＡＮ形式の信号線で無線ルータ３４に送ることができるＤＭＸ−ＬＡＮ変換器３６に接続されている。また、コンピュータ８は、上述と同様に照明卓の機能を入力するソフトウェアやペンライト１０を制御するソフトウェアがインストールされたもので、ＬＡＮで無線ルータ３４に接続されている。さらに、携帯情報端末２は、無線ＬＡＮで無線ルータ３４に接続されている。
【００４８】
ＢＬＥ中継器４は、無線ＬＡＮでの接続が可能な機能も有し、受信した発光情報をＢＬＥの形式の発光情報に変換し、ペンライト１０に発光情報を送信する。無線ルータ３４は、無線ＬＡＮの接続を用いて、複数のＢＬＥ中継器４に接続されている。そして、コンピュータ８や携帯情報端末２や照明卓６から、無線ルータ３４を介して発光情報を受け取ったＢＬＥ中継器４は、発光情報を、それぞれのＩＤ情報を記憶しているペンライト１０に送り、それぞれのペンライト１０が発光する。
【００４９】
このように、屋外のような極めて広い会場（エリア）の場合、ＢＬＥ以外の通信方式を間に用いることで、会場内をくまなくカバーできるようにするようにすればよい。尚、実施例１〜実施例３は、あくまでも形態の例であり、本願発明の内容に沿った形態であればよい。
【産業上の利用可能性】
【００５０】
以上のように、本発明によれば、ペアリング等の制限を受けることなく、簡易的にリアルタイムの通信を行いながら照明装置の発光を制御可能な照明装置制御システム及び照明装置制御方法を提供することができる。
【符号の説明】
【００５１】
２・・・・・携帯情報端末
４・・・・・ＢＬＥ中継器
４ａ・・・・ＢＬＥ中継器
４ｂ・・・・ＢＬＥ中継器
４ｃ・・・・ＢＬＥ中継器
６・・・・・照明卓
６ａ・・・・照明卓
６ｂ・・・・照明卓
８・・・・・コンピュータ
１０・・・・ペンライト
１０ａ・・・ペンライト群
１０ｂ・・・ペンライト群
１０ｃ・・・ペンライト群
１２・・・・制御回路
１２ａ・・・スイッチ
１２ｂ・・・スイッチ
１２ｃ・・・スイッチ
１４・・・・無線回路
１６・・・・ＬＥＤドライバ
１８・・・・バッテリ
２０・・・・グリップ部
２２・・・・発光部
２４・・・・ＬＥＤ
３０・・・・ＤＭＸ送信機
３０ａ・・・ＤＭＸアダプタ
３２・・・・ＤＭＸ受信機
３４・・・・無線ルータ
３６・・・・ＤＭＸ−ＬＡＮ変換器
【図１】
2018005977.tif 000003
【図２】
2018005977.tif 000004
【図３】
2018005977.tif 000005
【図４】
2018005977.tif 000006
【図５】
2018005977.tif 000007
【図６】
2018005977.tif 000008
【図７】
2018005977.tif 000009